(57)【要約】流れに基づく発電所用（１）のベース（２）、特に、風力発電所用又は潮力発電所用のベース。そのベース（２）には、マスト（１０ｃ，１００）が取り付けられる。そのベースは、接続アーム（４，５，６）により互いに接続された幾つかの球体（３，３ａ，３ｂ，３ｃ，３ａ’，３ｂ’及び３ｃ’）からなる。その球体（３，３ａ，３ｂ，３ｃ，３ａ’，３ｂ’及び３ｃ’）は、共に接続された幾つかのパネルタイプの構成要素（１３）からなる。各球体（３，３ａ，３ｂ，３ｃ，３ａ’，３ｂ’及び３ｃ’）は、幾つかのアタッチメントと操作キャップ（４０）を有する。そのアタッチメントと操作キャップ（４０）には、球体（３，３ａ，３ｂ，３ｃ，３ａ’，３ｂ’及び３ｃ’）を共に接続するための接続アーム（４，５，６）を接続することができ、そして、そのアタッチメントと操作キャップ（４０）により、その発電所のマスト（１０ｃ，１００）をベース（２）に取り付けることができる。
2015500929.tif 000002
【特許請求の範囲】
【請求項１】
流れに基づく発電所（１）用のベース、特に、風力発電所用又は潮力発電所用のベース（２）であって、
マスト（１０ｃ，１００）が取り付けられ、接続アーム（４，５，６）により互いに接続された幾つかの球体（３，３ａ，３ｂ，３ｃ，３ａ’，３ｂ’，３ｃ’）から構成されたベース（２）にして、
各球体（３，３ａ，３ｂ，３ｃ，３ａ’，３ｂ’，３ｃ’）は、少なくとも２０ピースの六角形のパネルタイプ要素（１３；Ｈ１，Ｈ２，Ｈ３，．．．，Ｈ２０）と、少なくとも１２ピースの五角形のパネルタイプ要素（１３；Ｐ１，Ｐ２，Ｐ３，．．．，Ｐ１２）と、から構成され、
各パネルタイプ要素（１３）の曲率半径は、共に接続された時に、それらが１．５ｍ以上の半径を有する中空の球体（３，３ａ，３ｂ，３ｃ，３ａ’，３ｂ’，３ｃ’）をなすように形成され、
各パネルタイプ要素（１３）は、上記球体（３，３ａ，３ｂ，３ｃ，３ａ’，３ｂ’，３ｃ’）を共に接続するための接続アーム（４，５，６）を接続できる、アタッチメントと操作キャップであって、その手段により、発電所のマスト（１０ｃ，１００）をベース（２）に取り付けることができる、アタッチメントと操作キャップ（４０）を備え、
ベースが所定位置に設けられたとき、１つ以上の球体は、少なくとも部分的に、石材チップス、砂利、又は、水よりも重い他の材料で満たされ、これにより、上記１つ以上の球体が、海底に対して、沈められるようになっていることを特徴とする、ベース。
【請求項２】
上記風力発電所用の上記マスト（１０ｃ，１００）が取り付けられる、少なくとも４つの球体（３，３ａ，３ｂ，３ｃ，３ａ’，３ｂ’，３ｃ’）から構成されるベース（２）は、上記海底に沈められ、
ベースが上記海底に確実に押圧されるように、上記球体（３，３ａ，３ｂ，３ｃ，３ａ’，３ｂ’，３ｃ’）は、少なくとも部分的に、石材チップス、砂利、又は、他の重い材料で満たされることを特徴とする、請求項１記載のベース。
【請求項３】
ベース（２）の上記球体の幾つかは、フロート（３，３ａ，３ｂ，３ｃ）をなし、
上記球体の幾つかは、硬いアーム（１０２，１０２’）により、上記フロートの下でフロートに対して取り付けられた釣り合い重り（３ｄ，３ｄ’）をなし、
上記球体の幾つか（３ｅ）は、該球体が上記海底に固定される固定ボール（３ｅ）をなすように、石材チップス、砂利、又は、他の重い材料で満たされ、当該ボールは、ケーブル（９）又は同様のものによって、対応する釣り合い重り（３ｄ，３ｄ’）に対して、吊されていることを特徴とする、請求項１記載のベース。
【請求項４】
隣接するパネルタイプ要素（１）は、互いに溶接されていることを特徴とする、請求項１〜３のいずれかに記載のベース。
【請求項５】
上記パネルタイプ要素（１）の材料は、金属又は金属合金、好ましくは、スチール、であることを特徴とする、請求項１〜４のいずれかに記載のベース。
【請求項６】
上記パネルタイプ要素（１３）は、パネルタイプ要素（１３）のコーナ部が、球体（３，３ａ，３ｂ，３ｃ，３ａ’，３ｂ’，３ｃ’）の表面上の所定位置であって、少なくとも６０の炭素原子からなるフラーレンにおける炭素原子の位置に対応する所定位置に位置するように、互いに対して、接続されることを特徴とする、請求項１〜５のいずれかに記載のベース。
【請求項７】
上記球体（３，３ａ，３ｂ，３ｃ，３ａ’，３ｂ’，３ｃ’）を移動させるために、上記アタッチメントと操作キャップ（４０）は、アタッチメントと操作キャップ（４０）が上記球体（３，３ａ，３ｂ，３ｃ，３ａ’，３ｂ’，３ｃ’）の内側及び／又は外側から把持されることができる手段（２ａ，２ｂ’）を備えていることを特徴とする、請求項１〜６のいずれかに記載のベース。
【請求項８】
上記アタッチメントと操作キャップ（４０）は、上記球体（３，３ａ，３ｂ，３ｃ，３ａ’，３ｂ’，３ｃ’）の径方向における、球体（３，３ａ，３ｂ，３ｃ，３ａ’，３ｂ’，３ｃ’）の外面（３０ａ）と同一面上に、及び／又は、球体（３，３ａ，３ｂ，３ｃ，３ａ’，３ｂ’，３ｃ’）の外面（３０ａ）の内側に、配置されていることを特徴とする、請求項７記載のベース。
【請求項９】
上記接続アーム（４，５，６）の長さは調整可能であることを特徴とする、請求項１〜７のいずれかに記載のベース。
【請求項１０】
少なくとも１つの球体（３，３ａ，３ｂ，３ｃ，３ａ’，３ｂ’，３ｃ’）は、上記風力発電所用の上記マスト（１０ｃ，１００）を上記ベース（２）に、本質的に垂直位置に、取り付けるための手段を備えることを特徴とする、請求項１〜９のいずれかに記載のベース。
【請求項１１】
上記ベース（２）の上記接続アーム（４，５，６）の長さは調整可能であり、これにより、上記ベース（２）における各球体（３，３ａ，３ｂ，３ｃ，３ａ’，３ｂ’，３ｃ’）は、他の球体に対して、所望の位置に位置付けられることができることを特徴とする、請求項１〜１０のいずれかに記載のベース。
【請求項１２】
上記ベース（２）は、上記発電所（１）を水域の底（７）に固定するための手段（９，９ａ，９ｂ，３ｅ）を備えることを特徴とする、請求項１〜１１のいずれかに記載のベース。
【請求項１３】
上記マスト（１００）は、構造上、クロスハッチングマストであることを特徴とする、請求項１〜１２のいずれかに記載のベース。
【請求項１４】
上記マスト（１０ｃ，１００）の下端部と、シュー（１０ｄ）の上端部との間には、関節、ヒンジング（１０３）、又は、同様のもの、を備えることができることを特徴とする、請求項１〜１３のいずれかに記載のベース。
【請求項１５】
上記マスト（１０ｃ，１００）は、上記球体（３）の内側アーム（１１）によって、支持されており、当該内側アーム（１１）の第１の端部（１１ａ）は、マスト（１０ｃ，１００）に関連して取り付けられており、内側アーム（１１）の対応する第２の端部（１１ｂ）は、球体（３）の予め選択されたパネルタイプ要素（１３）の、上記アタッチメントと操作キャップ（４０）の第１の把持要素（４１）に取り付けられていることを特徴とする、請求項１〜１４のいずれかに記載のベース。
【発明の詳細な説明】
【技術分野】
【０００１】
本発明の対象（目的）は、流れに基づく発電所（パワープラント）用のベース、特に、風力発電所用又は潮力発電所用のベースであって、マスト（柱）が取り付けられ、接続アームにより互いに接続された幾つかの球体（球状物体、球形物体）から構成される、ベースである。
【背景技術】
【０００２】
一般に、海等の水域に設置される風力発電所、及び、特に、それらのマスト（柱）は、通常、海底に形成されたコンクリート製キャスティング（注型製品）上に設けられる。これは、その風力発電所の場所（位置）に対するチャレンジ（挑戦）となる。風力発電所のために、或る領域が、そのマストを立てるための基礎を形成することができる海の中に選択されねばならない。この領域は、比較的浅くなければならず、そして、その場所における海底は、マストを立てるために、その基礎、実際にはコンクリート製キャスティング、を形成することができるようなものでなければならない。実際のところ、上記海底は、岩底であり、或いは、上記キャスティングを形成することができるようにするために、多量の岩石材料が、他の場所から、その場所に運ばれねばならない。これは、時間と、個々の計画とを必要とする。このタイプの基礎の形成は、従って、比較的高価であり、それらは、適切な場所において、有効でない。上記制限に加えて、環境上及び景観上の要因により、たとえば、幾つかの風力発電所からなるウインドファーム用の使用可能な潜在的な場所は、制限される。
【０００３】
場所は、また、確かに、海岸から遠く離れた沖合に見い出すことはできるが、しかし、そのような場所に、風力発電所を設置したり基礎を形成するのは、高価である。そのような風力発電所のメンテナンスは、また、コスト効率上、困難である。
【０００４】
欧州特許出願公開第２０３６８１４（Ａ２）号明細書（特許文献１）から、接続アームにより互いに接続された幾つかの球体（球状物体、球形物体）からなる、風力発電所ベースが知られている。その球体は、上記海底に重りで固定され、そのベースに対して、マストが取り付けられる。その球体は、フロート（浮き）として機能し、当該フロートの浮力は、その発電所の重量よりも大きい。このタイプのベースを十分に大きい寸法で作ることは困難である。これは、特に、その球体の数、それらの相互の配置、及び、ベースの寸法（サイズ）を、使用条件に従って、変更することが可能でなければならないためである。この知られているベースは、浮遊式沖合ベースとしてのみ適している。
【０００５】
国際公開第２００９１３１８２６（Ａ２）号パンフレット（特許文献２）から、風力発電所と、その浮遊式ベースであって、調整可能な接続アームを有し互いに接続された少なくとも３つのコラムにして風力発電所のマストを支持する少なくとも３つのコラム又は同様のものからなる、その浮遊式ベースと、が知られている。上記不都合及び制限は、このベースに対しても、同様に、当てはまる。
【０００６】
英国特許第２３７８６７９（Ａ）号明細書（特許文献３）から、風力発電所であって、そのベースが金属製接続アームにより互いに接続された１つ以上のフロートからなり、それがロープとアンカーにより海底に固定されるようになっている、風力発電所が知られている。上記した不都合及び制限は、このベースに対しても、同様に、当てはまる。
【０００７】
フィンランド特許第１０７１８４（Ｂ）号明細書（特許文献４）から、風力発電所を設置するための方法とシステムとが知られている。当該方法とシステムにおいて、当該風力発電所のベースの水タンクと、そのマストのタンクとは、バラスト水、若しくは同様のもの、で満たされることができるようになっており、その発電所が持ち上げられる際に、同様にして、空にされることができるようになっている。このベースは、異なる使用条件に係るサイズとベースのタイプとに適合するように、標準的なパーツ（部品）から形成されることができない。
【先行技術文献】
【特許文献】
【０００８】
【特許文献１】欧州特許出願公開第２０３６８１４（Ａ２）号明細書
【特許文献２】国際公開第２００９１３１８２６（Ａ２）号パンフレット
【特許文献３】英国特許第２３７８６７９（Ａ）号明細書
【特許文献４】フィンランド特許第１０７１８４（Ｂ）号明細書
【特許文献５】フィンランド特許出願第２０１０５５２０号明細書
【発明の概要】
【発明が解決しようとする課題】
【０００９】
本発明の目的は、風力発電所用のベースであって、これにより、上記不都合が本質的（基本的）に回避され、或いは、少なくとも軽減される、ベースを提供することである。
【課題を解決するための手段】
【００１０】
本発明の上記目的は、本発明に従い、次のようにして達成される。すなわち、各球体（球状物体、球形物体）は、少なくとも２０ピースの六角形のパネルタイプ要素と、少なくとも１２ピースの五角形のパネルタイプ要素と、からなり、各パネルタイプ要素の曲率半径は、共に接続された時に、それらが１．５ｍ以上の半径を有する中空の球体（球状物体、球形物体）をなす、ように形成され、各パネルタイプ要素は、上記球体を共に接続するための接続アームを接続できる、アタッチメントと操作キャップであって、その手段により、発電所のマストをそのベースに取り付けることができる、アタッチメントと操作キャップを有し、上記ベースが所定位置に設けられたときに、１つ以上の球体は、少なくとも部分的に、石材チップス（stone chips）、砂利、若しくは、水よりも重い他の材料で満たされ、これにより、上記１つ以上の球体が、海底に対して、沈められるようになっている。
【００１１】
上記接続された球体は、水系システムにおいて、たとえば、海面において、海中において、及び／又は、海底において、固形ベース（solid base）をなす。当該ベースは、しかしながら、所定位置への移動が容易であり、そして、必要な場合には、その位置からの除去（取り外し）が容易である。
【００１２】
本発明の好ましい実施形態は、従属項に記載されている。それらは、ベース構造のための、そして、ベースを形成する球体用の構造のための、好ましい実施形態を記載しており、その手段により、本発明の上記目的は、達成される。
【図面の簡単な説明】
【００１３】
本発明は、添付図面を参照して、以下に、詳細に記載される。
【図１】本発明に係る風力発電所と、そのベースとの側面図である。
【図２】図１に示す風力発電所のベースの上面図である。
【図３】互いに溶接されたパネルタイプ要素から構成された、風力発電所のベースを形成する球体の１実施形態を示す図である。
【図４】上記球体を形成するパネルタイプ要素を示す平面図であって、該パネルタイプ要素の相互位置を示す平面図である。
【図５】上記球体を互いに接続する接続アームを示す図である。
【図６Ａ】図５のＶＩ Ａを拡大したものの部分断面図である。
【図６Ｂ】図５のＶＩ Ｂを拡大したものの部分断面図である。
【図７】上記パネルタイプ要素に含まれるアタッチメントと操作キャップを示す図である。
【図８】風力発電所のマストを、そのベースに構成される球体に接続する例を略図的に示す図である。
【図９】風力発電所のベースの第２実施形態の上面図である。
【図１０】図９の実施形態の側面図である。
【図１１】風力発電所のマストの好ましい実施形態の側面図である。
【図１２】図１１に示すマストの上面図である。
【図１３】風力発電所のベースの好ましい第３実施形態の側面図である。
【図１４】本発明に係るベースの好ましい適用例を示す図である。
【発明を実施するための形態】
【００１４】
本発明に係る風力発電所とそのベースの一般的な構造は、先ず、図１及び図２を参照して記載される。この風力発電所は、参照符号１０によって示されている。当該風力発電所１０は、中央部１０ａを有しており、本質的（基本的）に、その水平シャフトの周りで、ブレード、つまり羽根１０ｂ、が回転するように配置されている。その中央部１０ａと、風力発電所１０とは、そのようなもの（たとえば、発電機）として知られている、ブレード１０ｂの回転から得られたエネルギーを回収するための、そして、それを更に伝達するための、手段を有している。従って、これらの手段は、ここでは、より詳細に記載されない。
【００１５】
上記風力発電所１０は、マスト１０ｃを有している。このマスト１０ｃの上端部は、上記中央部１０ａの下面に接続されており、それは、垂直方向に、つまり、本質的に、垂直方向に、水位（海水位）の下に、本発明に係るベースに接触するように、延在する。この実施形態において、そのマストは、その上端方向に幾分か先細りになる、円筒形状の金属パイプである。その下端におけるその直径は、風力発電所のサイズ（幾つかある中で、特に、ブレードのサイズ）により、典型的には、１．５〜７ｍである。
【００１６】
上記ベースは、ここでは、参照符号２で示されている。当該ベース２は、ここでは、４つの球体３，３ａ，３ｂ，３ｃから構成される。互いに対するこれらの位置は、異なる長さの接続アーム４，５，６の手段により、所望位置に配置される。図１，２の実施形態の上面図において、その３つの球体３ａ，３ｂ，３ｃの中心は、本質的に、等辺三角形の頂点に位置する。更に、仮想の等辺三角形の中心には、第４の球体３が位置しており、この風力発電所１０のマスト１０ｃは、当該第４の球体３に接続されている。
【００１７】
一方、次に、添付の図３，４を参照して、完成した球体３，３ａ，３ｂ，３ｃの好ましい構造が、詳細に記載される。図３は、従って、参照符号３で示される球体を示す。図３の当該球体３は、共に接続された幾つかのパーツ１３から構成される。この場合において、そのパーツ１３は、六角形のパネルタイプ要素１３と、五角形のパネルタイプ要素１３であり、それらの相互位置は、図２の平面図に示されている。
【００１８】
図３，４において、六角形のパネルタイプ要素は、参照符号Ｈ１，Ｈ２，Ｈ３，Ｈ４，．．．，Ｈ２０をもって、正確に示されており、そして、五角形のパネルタイプ要素は、参照符号Ｐ１，Ｐ２，Ｐ３，．．．，Ｐ１２をもって、より正確に示されている。これらの仕様（明細）は、ここでは、球体３の構造をより詳細に明確化するためだけのものである。この場合において、球体３は、少なくとも２０ピースの六角形のパネルタイプ要素１３と、少なくとも１２ピースの五角形のパネルタイプ要素１３と、からなる。当該パネルタイプ要素１３は、パネルタイプ要素１３のコーナ部が、球体３，３ａ，３ｂ，３ｃ，３ａ’，３ｂ’，３ｃ’の表面上の所定位置であって、少なくとも６０の炭素原子からなるフラーレンにおける炭素原子の位置に対応する所定位置に位置するように、互いに対して、接続される。
【００１９】
これに加えて、各パネルタイプ要素１３は、互いに接続されたときに、パネルタイプ要素１３が中空の球体３をなす曲率半径をもって、形成されている。この曲率半径は、少なくとも１．５ｍであり、そして、その利用（適用、応用）に応じて、この曲率半径は、実際に所望される大きさとなるように、決定されることができる。その最大のものにおいては、そのような球体の半径Ｒ、たとえば、ＬＮＧコンテナ（液体窒素搬送コンテナ）のスキン部分の半径、は、典型的には、２０〜３０ｍである。勿論、更に大きい半径を有する球体を製造することは、可能である。（上記４つの球体３，３ａ，３ｂ，３ｃを有する）風力発電所のベース２における単一の球体の直径は、好ましくは、（半径が２．５〜７．５ｍに対応する）約５〜１５ｍであり、最も好ましくは、（半径が４〜５ｍに対応する）約８〜１０ｍである。これは、風力発電所に十分な支持を与え、そして沖合領域における強風での発電所の倒壊防止に、十分である。その球体１３の製造方法が、出願人のフィンランド特許出願第２０１０５５２０号明細書（特許文献５）に記載されていることは、留意されるべきである。
【００２０】
上記パネルタイプ要素１３に用いられる好ましい材料は、スチールである。この材料厚さは、その利用（適用、応用）に応じて、また、完成した球体３の半径（直径）に応じて、変動する。典型的な利用（適用、応用）において、その材料厚さは、１．５〜２．５ｃｍの範囲内で、変動するが、しかし、当然のことながら、これから逸脱しても良い。更に、少なくとも、その球体が水（海水）に接する利用（適用、応用）において、その球体が、たとえば、内側と外側の両側に、亜鉛メッキされていることが、有益である。
【００２１】
上記球体３の各パネルタイプ要素１３には、アタッチメントと操作キャップが備えられている。これは、図７の部分断面に示されており、参照符号４０で明示されている。このアタッチメントと操作キャップ４０は、好ましくは、各パネルタイプ要素１３の中心部に存在する。このアタッチメントと操作キャップ４０の本体は、好ましくは、円筒形状を有している。そして、それは、好ましくは、溶接（溶接継ぎ手Ｗ）により、パネルタイプ要素１３の中心部に形成された孔（穴）内に固定される。この固定されたアタッチメントと操作キャップ４０、特に、その面（フェース）４０ａ、は、当該面４０ａの平面が、球体３の半径方向に関して、或いは、その平面の内側において、パネルタイプ要素１３の外面１３ａと同一平面上に配置されるように、その孔内にフィット（適合）する。このアタッチメントと操作キャップ４０の本体は、面４０ａ上に開く円筒状スペースであって、内螺子を有する円筒状スペースを有する。
【００２２】
上記アタッチメントと操作キャップ４０は、更に、その球体３の形成を許容し、形成された球体の取り付けを許容し、形成された球体の、その内面１３ｂ側からの取り扱いを許容し、そして、必要な場合には、また、自動的に、形成された球体の、その外面１３ａからの取り扱いを許容する、手段４１，５０を含み、或いは、それに対して接続されることができる、手段４１，５０を含む。ここで、これらの手段４１，５０は、第１の把持要素４１を含む。当該第１の把持要素４１は、ここでは、球体内に残るアタッチメントと操作キャップ２の円筒状本体の背面から、球体の内側に延在する栓（spigot）４１であり、これは、ここでは、第１のアタッチメント栓として言及されることができる。
【００２３】
その第２の把持要素５０は、上記本体の内螺子に螺合する、外螺子５１ａ’を有している。この手段により、第２の把持要素５０は、上記アタッチメントと操作キャップ４０のその本体に、取り外し可能に取り付けられる。その第２の把持要素５０は、ここでは、キャップコネクタ５０により、形成されている。当該キャップコネクタ５０は、好ましくは、２つのパーツを有する。これらのパーツの第１のものは、キャップコネクタ５０の本体部５１ａをなす。当該本体部５１ａは、上記アタッチメントと操作キャップ４０の本体の内螺子と螺合する、上記外螺子を有し、この外螺子の手段により、上記本体部５１ａは、取り外し可能に、上記アタッチメントと操作キャップ４０に取り付けられる。このキャップコネクタ５０の本体部５１ａは、上記本体部５１ａが操作キャップ４０の本体に取り付けられる時に、パネルタイプ要素１３の外面１３ａに対して支持される突起（つまみ、取手、lug）を有している。上記本体部５１ａには、接続アーム６の球状接続端部６８がフィットできる、本質的に半球状の中空スペース５１ｃが形成されている。これについては、図５〜図６Ｂを参照して、以下に、詳細に記載されるが、その接続端部は、ボールジョイントのように、その中空スペース５１ｃ内で、回動することができる。上記キャップコネクタ５０は、カバー部分５１ｂを有している。この手段により、上記接続端部６８、従って接続アーム６、は、キャップコネクタ５０に関連して、回動自在に接続される。上記接続端部６８をキャップコネクタ５０に接続する手段である、上記カバー部分５１ｂは、上記本体部５１ａに、スクリュー（螺子）やボルト等の取り付け手段５２により、取り外し可能に取り付けられる。
【００２４】
以下に、添付の図５〜図６Ｂを参照して、接続アーム６の好ましい構成を詳細に記載する。当該接続アーム６は、好ましくは、シート（材）から曲げられたパイプである。接続アーム６の基本構造（構成）は、２つのパーツを有する。すなわち、接続アーム６は、相互の延長部として長手方向に接続された、２つのアーム部６ａ，６ｂから構成される。図６Ｂにおいて、アーム部６ａ，６ｂは、フランジ部６５ａ，６５ｂの手段により、互いに、接続されている。当該フランジ部６５ａ，６５ｂは、たとえば、互いに当接することになる上記アーム部の第１の端部に関連する、溶接によって、接続されている。上記フランジ部６５ａ，６５ｂ、従って、上記アーム部６ａ，６ｂ、は、ボルト−ナット結合等の固定手段６５ｃにより、接続されている。好ましくは、幾つかの固定手段６５ｃが、（従って、２つの対向するフランジ部６５ａ，６５ｂから構成される）環状フランジ６５上の半径方向等距離にある箇所で、フィット（適合）する。好ましくは、上記接続アーム６の長さは、上記アーム部６ａ，６ｂの間に、（不図示の）延長部であって、ジョイントを形成するべく、両端部が上記アーム部６ａ，６ｂに合致するフランジを有する延長部、を設けることにより、変化させることができる。対応する構成（構造）は、接続アーム４，５に適用することが可能である。
【００２５】
図６Ａは、接続アーム部６ａの他端部の構成（接続アーム部６ａの他端部は、原理上、同一構成を有している）を示している。当該他端部は、円錐状部６１に形成されている。当該円錐状部６１の頂点の位置には、内螺子を有する接続部材６２が配置されている。当該内螺子は、好ましくは、接続アーム部の長手方向の中心シャフトと同軸に配置され、その接続部材６２には、球状接続端部６８を有する把持部材６６が、把持部材６６のアーム部に形成された外螺子６７の手段により、取り外し可能に接続されることができる。
【００２６】
これに加えて、上記球体には、好ましくは、（不図示の）少なくとも１つの開閉可能なゲートが備えられる。好ましくは、異なる目的に用いられる幾つかのゲートが存する。そのような目的は、たとえば、メンテナンス処理を実行するべく、人がその球体内を通り抜けるに十分大きい、所謂、マンホール（待避孔）を含む。上記ゲートの他の目的は、荷役（積み降ろし）用のハッチ（出入り口）である。当該ハッチを通して、必要な物資（材料、materials）は、その球体に対して、搬送されることができる。加えて、そのようなゲートを通して、球体の表面を亜鉛被覆（コーティング）するべく、亜鉛被覆材料が、球体内に搬送されることができ、或いは、選択的に、球体からなるベースを、たとえば、海底に設置したり、或いは、水面下に浮遊させて設置したりするために、水や砂や空気が、搬送されることができる。１つのハッチ構造が、出願人のフィンランド特許出願第２０１０５５２０号明細書（特許文献５）に記載されており、従って、それは、ここでは、詳細に記載されない。そのゲートの構造は、実際には、意図される使用に応じて、異なるものになって良い。たとえば、１つのゲートとして、空気が球体内に供給され、或いは、空気がそこから除去される、１つのアセンブリーが理解され得る。
【００２７】
図８は、略図的に、風力発電所のマスト１０ｃの、ベース２に属する球体３への取り付けの１例を示している。その取り付けのために、球形の１セグメント（部分、断片）の形状の１ピース（部品、要素）が、球体３の上部から取り除かれている。そこにおいて、上記球体１３の上部には、１つの直径を備えた円形開口が形成されている。当該直径は、マスト１０ｃの下部１０ｄの直径よりもずっと大きく、従って、マスト１０ｃの下部１０ｄは、少なくとも部分的に、球体３の内部スペース内に、取り込まれることができる。マスト１０ｃの下部１０ｄは、好ましくは、マスト１０ｃから分離した１部分、所謂、マスト１０ｃのシュー１０ｄ、であり、その長手方向の延長部として、マスト１０ｃは、接続されることができる。上記マスト１０ｃの下端部と、上記シュー１０ｄの上部との間には、関節、ヒンジング１０３、或いは、同様のもの、が設けられており、その手段により、マスト１０ｃは、所定位置に設けられることができ、或いは、たとえば、メンテナンス処置のために、本質的に、水平方向に対する垂直位置から、傾斜せしめられることが可能になる。
【００２８】
上記シュー１０ｄは、球体３に対して、好ましくは、該球体の製造段階において、既に、開口のエッジにおいて、溶接されている。上記マスト１０ｃに対して、球体３の内部スペース内に位置するシュー１０ｄは、好ましくは、該シュー１０ｄの円錐形先細り端部１０ｅに形成されている。当該シュー１０ｄの下端（下エッジ）は、その球体の中心よりも上に位置する。更に、上記端部１０ｅの下方向に延在する延長部として、マスト取り付けピース１０ｆが配置されている。当該マスト取り付けピース１０ｆは、本質的に、上記球体３の中心部領域内及びその近傍に位置している。上記マスト１０ｃは、図８に示されている球体３の内側アーム１１により、支持されることができ、同時に、その球体の強度は、内側アーム１１により、強化されることができる。図８に示されている実施形態おいて、その内側アーム１１は、５つある。そのアーム１１の数は、必要とされている支持に応じて、変えても良い。アーム１１の第１の端部１１ａは、たとえば溶接により、取り付けピース１０ｆに取り付けられている。その第１の端部は、各アーム１１が径方向にその球体の内面に向くように、溶接される。アーム１１のその対応する第２の端部１１ｂは、球体３の予め選択されたパネルタイプ要素１３の、アタッチメントと操作キャップ４０の第１の把持要素４１に取り付けられている（図７参照）。
【００２９】
図９及び図１０は、所謂、延長されたベースの１例を示している。当該延長されたベースは、（中央球体３の反対側における）各球体３ａ，３ｂ，３ｃの外側に接続アームの手段により付加的な球体３ａ’，３ｂ’，３ｃ’が接続されている点を除いて、図１及び２のベースである。各球体に、更なる付加的な球体を追加することは、可能である。
【００３０】
図９及び図１０に示される付加的な球体３ａ’，３ｂ’，３ｃ’に加えて、及び／又は、当該付加的な球体３ａ’，３ｂ’，３ｃ’に代えて、たとえば、適切に方向付けられ且つ適切に寸法構成された接続アームの手段により、追加的な球体が、各球体（全部で４つ）の下に、設けられても良い。これにより、パワープラント（発電所）１は、上記（最も低い）追加的な球体により、海底の上に支持されるであろう。代替的に、上記中央球体３からの上記球体３ａ，３ｂ，３ｃの距離が、図９及び図１０に示される、それからの接続アームの長さを大きくすることにより、寸法構成される（dimensioned）場合には、これらの球体の下に設けられた追加的な球体が備えられたベースは、十分な支持が与えられ、且つ、そのベースが浮遊式ベースとして、安定する。その場合、その追加的な球体は、そのベースを垂直方向に安定させるべく、部分的に、たとえば、石材チップスで充填され、そのベースは、その海底に固定される。この利点は、マストのサイズ、及び発電所のサイズ（実際には、ブレードの長さ）、に関わりなく、標準サイズの球体を用いることができることである。マスト１０ｃと、発電所１に対する風と、により生じせしめられるトルクを補償することができるようにするために（換言すれば、マスト１０ｃを可能な限り直立状態に維持することができるようにするために）、上記接続アーム４，５，６の長さのみ、変更される必要がある。
【００３１】
図１１及び図１２は、発電所用のマストの他の好ましい実施形態を示す。これは、上記実施形態とは、参照符号１００で示されるそのマストが、クロスハッチング構造のマストであり、当該クロスハッチング構造のマスト１００が、好ましくは、三角形断面を有している点で、相違している。そのクロスハッチングマスト１００の下部１０１は、クロスハッチングマスト１００から分離したシュー１０１に形成されている。当該シュー１０１の高さは、好ましくは、ベース２が所定位置に設けられるとき、シュー１０１の上端が水位上に延在するように、選択される。そのクロスハッチングマスト１００は、従って、シュー１０１の長手方向の延長部として、接続されることが可能である。そのクロスハッチングマストは、張り綱ワイヤ７０を有しており、これにより、その構造が強化されている。図示の実施形態において、３本の張り綱ワイヤ７０が存在しており、海水位よりも上に留まる各張り綱ワイヤの上端部は、等辺三角形状の断面を有するクロスハッチングマスト１００の適切な高さのコーナ部に取り付けられている。上記クロスハッチングマスト１００の各コーナ部は、対応する球体３ａ，３ｂ，３ｃの中心点を通る平面の方向において、上記球体３の径方向に向けられている。このようにして、張り綱ワイヤ７０の下端部は、また、対応する球体の面に取り付けられている。
【００３２】
図１及び図２に示されているマスト１０ｃは、水中設置用に好ましいが、クロスハッチング構造のマスト１００は、特に、水中に設置されるマストとして、適切である。このタイプのマストは、たとえば、沖合風力発電所に関連して、適用されることが可能である。１つの実施形態が、図１３に示されている。ここには、事実上、図１及び図２に示されている、クロスハッチングマスト１００と、ベース２と、が示されている。図１３における相違点は、その発電所１の構成において、ベース２より下に留まる構造（体）であって、図１及び図２におけるそれものよりも有意に深い海域（海）の底まで延在する構造（体）、が示されている。この目的のため、中央球体３の底まで、海底に向けて、所定距離にわたり下方向に延在するアーム１０２が、接続されている。当該アーム１０２の基本的構成は、好ましくは、上記クロスハッチングマスト１００のそれに類似する。長さにおいて、そのアームは、しかしながら、球体３の反対側において、好ましくは、クロスハッチングマスト１００よりも短い。そのアーム１０２の長さは、発電所（パワープラント）１の機械装置（機構）１０が、海水位上に、どの位の高さに位置しているかに応じて、クロスハッチングマストの長さの約１／３〜２／３である。上記アーム１０２の下端部に関連して、釣り合い重りボール３ｄが配置されている。この釣り合い重りボール３ｄは、好ましくは、部分的に、石材チップス、又は砂利、で充填される。これに加えて、付加的な張り綱ワイヤ７１が、球体３ａ，３ｂ，３ｃと、上記釣り合い重りボール３ｄと、の間に設けられる。当該釣り合い重りボール３ｄは、順に、中間チェーン、若しくは同様のもの９、の手段により、海底７に（チェーン９ａ及びアンカー９ｂ）固定されている固定ボール３ｅに接続されている。当該ボールは、たとえば、部分的に、石材チップス、砂利、或いは水よりも重い他の材料で、充填されている。このように、そのベースの排水量（displacement）、従って、その発電所の排水量、は、その球体に関して、（たとえば、水や石材チップスを）付加的に充填し、そして空にすることにより、調整されることができる。そのような装置（設備）の大きさの１例として、図１３の球体３の直径は約９ｍあり、ブレード１０ｂの先端の回転経路の直径は約８０ｍあることが、注目されるべきである。
【００３３】
図１４は、本発明に係るベース２の更なる他の好ましい実施形態を示している。図１４は、使用時に、水位８の下に完全に沈められる潮力発電所１を示している。この発電所の機械装置（機構）１０は、潮水により生じる水の流れ（流動）Ｓにより発生せしめられるエネルギーを取り出す（回収する）ように配置（構成）されている。このタイプの潮力発電所は、潮力現象に関連する強い水の流れが存在する、たとえば、フィヨルド（峡入）における海域や、深い川のデルタに配置するのが、都合が良い。
【００３４】
図１４に示されるベースは、短いアーム１０２’により、互いに隣接して配置されている、２つの球体３，３ｄ’を含んでいる。これらについて、球体３は、球体３ｄ’上にあり、それに対して、また、（図１及び図２に示される円筒形マスト１０ｃであっても良い）クロスハッチングマスト１００が取り付けられている。この場合において、下方の球体３ｄ’は、釣り合い重りボールをなす。クロスハッチングマスト１００は、ここでは、上に示した実施形態よりも、短く（低く）形成されている。図１３の実施形態に示されるように、その釣り合い重りボール３ｄ’は、順に、中間チェーン、若しくは同様のもの９、の手段により、海７等の水塊の底に（チェーン９ａ及びアンカー９ｂ）固定されている固定ボール３ｅに接続されている。当該ボールは、たとえば、部分的に、石材チップス、砂利、或いは水よりも重い他の材料で、充填されている。使用にあたって、球体３には、空気が充填され、釣り合い重りボール３ｄ’には、水が充填され、そして、固定ボール３ｅには、部分的に、石材チップスが充填される。固定ボール３ｅには、当該固定ボール３ｅを重くするに十分な石材チップスが存在し、これにより、球体３，３ｄ’が、その浮力により、浮上して、固定ボール３ｅ、及び、その発電所（パワープラント）１、を持ち上げないであろうようになっている。たとえば、メンテナンスのために、発電所１を水位よりも上に持ち上げるために、釣り合い重りボール３ｄ’には、空気が充填される。最上位の２つの球体の浮力は、そのとき、石材、若しくは同様のもの、で充填されている固定ボール３ｅの下方向に向く力よりも大きくなる。空気を供給するために、（不図示の）空気供給手段が、釣り合い重りボール３ｄ’に関連して、設けられている。当該空気供給手段により、圧縮された空気は、岸（沿岸）から、或いは、その発電所の傍に移動せしめられた供給船舶（service vessel）から、供給されることができる。
【００３５】
本発明に係る幾つかの球体のベースを製造するための多数の好ましい実施形態のほんの一部を前述している。当該球体は、用途に応じ、また、発電所のサイズにより決定される必要条件に従い、請求項により規定される保護範囲内において、様々な方法で、組み合わされることができる。
【図１】
2015500929.tif 000003
【図２】
2015500929.tif 000004
【図３】
2015500929.tif 000005
【図４】
2015500929.tif 000006
【図５】
2015500929.tif 000007
【図６Ａ】
2015500929.tif 000008
【図６Ｂ】
2015500929.tif 000009
【図７】
2015500929.tif 000010
【図８】
2015500929.tif 000011
【図９】
2015500929.tif 000012
【図１０】
2015500929.tif 000013
【図１１】
2015500929.tif 000014
【図１２】
2015500929.tif 000015
【図１３】
2015500929.tif 000016
【図１４】
2015500929.tif 000017
【国際調査報告】
2015500929.tif 000018
2015500929.tif 000019
2015500929.tif 000020